(57)【要約】【課題】冷房運転時に吹出口の上面に結露が生じないようにした空気調和機を提供する。【解決手段】少なくとも圧縮機と、室外熱交換器と、膨張弁と、室内熱交換器４とを備え、これらを冷媒管により順次接続した冷凍サイクルを構成すると共に、室内機本体に設けられた吸込口６と吹出口７とを結ぶ空気通路に、前記室内熱交換器４と送風ファン８とを設け、前記室内熱交換器４の下部に、前記吹出口７の上面から少許上方に離間させた露受皿１２を設けてなる空気調和機において、前記室外熱交換器から前記膨張弁に連なる冷媒管の一部５ａが、前記露受皿１２に対向する前記吹出口７の上面９に沿うように配設した。【選択図】  図４
2004170033.tif 000002
【特許請求の範囲】
【請求項１】
少なくとも圧縮機と、室外熱交換器と、膨張弁と、室内熱交換器とを備え、これらを冷媒管により順次接続した冷凍サイクルを構成すると共に、室内機本体に設けられた吸込口と吹出口とを結ぶ空気通路に、前記室内熱交換器と送風ファンとを設け、前記室内熱交換器の下部に、前記吹出口の上面から少許上方に離間させた露受皿を設けてなる空気調和機において、
前記室外熱交換器から前記膨張弁に連なる冷媒管の一部が、前記露受皿に対向する前記吹出口の上面に沿うように配設されてなることを特徴とする空気調和機。
【請求項２】
前記冷媒管の一部が、前記吹出口の上面の左右全幅にわたって配設されるようにしてなることを特徴とする請求項１に記載の空気調和機。
【請求項３】
前記吹出口の上面に、前記冷媒管の一部を保持する保持部が形成されてなることを特徴とする請求項１または請求項２に記載の空気調和機。
【請求項４】
前記保持部が、前記吹出口の上面に溝形状により一体成形されてなることを特徴とする請求項３に記載の空気調和機。
【請求項５】
前記冷媒管の一部と、前記保持部および前記吹出口の上面との間に熱伝導性を有する部材を設けてなることを特徴とする請求項１乃至請求項４の何れかに記載の空気調和機。
【発明の詳細な説明】
【０００１】
【発明の属する技術分野】
本発明は、空気調和機に係わり、より詳細には、冷房運転時に吹出口の上面に結露が生じないようにした構造に関する。
【０００２】
【従来の技術】
従来の空調機の熱交換装置として、冷房運転時に屋内熱交換機（屋内熱交換器）の冷媒コイルに結露して生じる凝縮水を集水タンク内で、屋外熱交換機（屋外熱交換器）からの高温高圧冷媒によって温めることにより、ドレン放流管外周から結露が生じることはなく、防露手段が不要になり、また、屋内熱交換機（屋内熱交換器）の膨張弁に流入される冷媒は、前もって集水タンク内の凝縮水で冷やされるので冷凍効果が向上されるようにしたものがあった（例えば、特許文献１参照。）。
【０００３】
これにより、上記構成でなる空調機の熱交換装置は、前記集水タンク内の凝縮水が温められることにより、同集水タンクにも結露を生じさせないようにするという効果を期待できるようになっていた。
【０００４】
しかしながら、例えば壁掛式空調機の冷房運転時には、前記屋内熱交換機（屋内熱交換器）で熱交換された冷気を吹出口から被空調室に吹き出す際、同吹出口の上面に直接冷気が触れるため、冷やされた同吹出口の上面に結露が生じてしまうことになり、また、冷房運転停止時には同吹出口の表面（吹出口側の面）にも結露が生じてしまうおそれがあった。
【０００５】
これにより、前記吹出口の上面に断熱材を貼着する対策がなされていたが断熱効果が不充分であったため、上記屋外熱交換機（屋外熱交換器）からの高温高圧冷媒を利用して結露が生じないようにすることが望まれていた。
【０００６】
【特許文献１】
特開平４−３０６４２５号公報（第２頁および第３頁、第１図および第２図）
【０００７】
【発明が解決しようとする課題】
本発明においては、上記の問題点に鑑み、冷房運転時に吹出口の上面に結露が生じないようにした空気調和機を提供することを目的とする。
【０００８】
【課題を解決するための手段】
本発明は、上記課題を解決するため、少なくとも圧縮機と、室外熱交換器と、膨張弁と、室内熱交換器とを備え、これらを冷媒管により順次接続した冷凍サイクルを構成すると共に、室内機本体に設けられた吸込口と吹出口とを結ぶ空気通路に、前記室内熱交換器と送風ファンとを設け、前記室内熱交換器の下部に、前記吹出口の上面から少許上方に離間させた露受皿を設けてなる空気調和機において、
前記室外熱交換器から前記膨張弁に連なる冷媒管の一部が、前記露受皿に対向する前記吹出口の上面に沿うように配設されてなる構成となっている。
【０００９】
また、前記冷媒管の一部が、前記吹出口の上面の左右全幅にわたって配設されるようにしてなる構成となっている。
【００１０】
また、前記吹出口の上面に、前記冷媒管の一部を保持する保持部が形成されてなる構成となっている。
【００１１】
また、前記保持部が、前記吹出口の上面に溝形状により一体成形されてなる構成となっている。
【００１２】
更に、前記冷媒管の一部と、前記保持部および前記吹出口の上面との間に熱伝導性を有する部材を設けてなる構成となっている。
【００１３】
【発明の実施の形態】
以下、本発明の実施の形態を図面に基づいた実施例として詳細に説明する。
図１は本発明による空気調和機の室内機本体の断面図であり、図２は本発明による空気調和機の冷凍サイクル図であり、図３は本発明による空気調和機の室内機本体の要部斜視図であり、図４は本発明による空気調和機の室内機本体の要部説明図で、（Ａ）は要部断面図、（Ｂ）は要部拡大断面図である。
【００１４】
本発明による空気調和機は、図２で示すように、圧縮機１と、室外熱交換器２と、膨張弁３と、室内熱交換器４とを備え、これらを冷媒管５により順次接続することによって冷凍サイクルを構成している。
【００１５】
室内機本体の前面上部および上面には、図１で示すように吸込口６が設けられる一方、下面には吹出口７が設けられており、これら吸込口６と吹出口７とを結ぶ空気通路には、側面視で逆Ｖ字状に形成され、下部に露受皿１２を備えた前記熱交換器４と、送風ファン８とが順次設けられている。
なお、前記露受皿１２は、同露受皿１２に対向する前記吹出口７の上面９から少許上方に離間した位置に設けられている。
【００１６】
上記構成により、例えば冷房運転時に、前記吸込口６から吸い込まれた空気が前記熱交換器４により熱交換されて冷気になり、前記送風ファン８によって前記吹出口７に送出されるようになっている。
【００１７】
その際、上記従来技術において説明したとおり、前記吹出口７の上面９に直接冷気が触れるため、冷やされた同吹出口７の上面９に結露が生じてしまうことになり、また、冷房運転停止時には同吹出口７の上面９の表面（吹出口側の面）にも結露が生じてしまうおそれがある。
【００１８】
そのため、図２のａ部および図３と、図４とで示すように、前記室外熱交換器２から前記膨張弁３に連なる冷媒管５の一部５ａを、前記露受皿１２に対向する前記吹出口７の上面９に沿うように配設することにより、該個所を前記冷媒管５の一部５ａを流れる高温高圧の冷媒によって温めるようにしている。
【００１９】
以上の構成により、次にその動作について説明する。
図２で示す矢印のように、室外機Ｂに設けられた前記圧縮機１から吐き出された冷媒が前記室外熱交換器２を経て、前記冷媒管５により室内機本体Ａに設けられた膨張弁３および室内熱交換器４に向かって循環する際、前記吹出口７の上面９上に沿うように配設された前記冷媒管５の一部５ａを循環する。
【００２０】
前記冷媒管５の一部５ａは、前記吹出口７の上面９上の左右全幅にわたって配設されるようになっているので、前記吹出口７の上面９上の全域が、前記冷媒管５の一部５ａを流れる高温高圧の冷媒によって効果的に温められるようになる。
【００２１】
これによって、冷房運転中および冷房運転停止時とも、前記吹出口７の上面９全域に結露が生じてしまうおそれがなくなる。
【００２２】
また、前記吹出口７の上面９には、図４（Ａ）および図４（Ｂ）で示すように、前記冷媒管５の一部５ａを保持する保持部１０が溝形状により一体成形されているので、前記冷媒管５の一部５ａをガタつかせないよう前記保持部１０に密接させて正確に保持できるようになる。
【００２３】
なお、前記冷媒管５の一部５ａと、前記保持部１０および前記吹出口７の上面９との間には、例えばアルミシートのような熱伝導性を有する部材１１を設けることによって、前記吹出口７の上面９全域を、前記冷媒管５の一部５ａを流れる高温高圧の冷媒によって更に効果的に温めることができる。
【００２４】
【発明の効果】
以上説明したように、本発明によれば、冷房運転時に吹出口の上面に結露が生じないようにした空気調和機となる。
【図面の簡単な説明】
【図１】本発明による空気調和機の室内機本体の断面図である。
【図２】本発明による空気調和機の冷凍サイクル図である。
【図３】本発明による空気調和機の室内機本体の要部斜視図である。
【図４】本発明による空気調和機の室内機本体の要部説明図で、（Ａ）は要部断面図であり、（Ｂ）は要部拡大断面図である。
【図５】従来例による空気調和機の室内機本体の断面図である。
【符号の説明】
１  圧縮機
２  室外熱交換器
３  膨張弁
４  室内熱交換器
５  冷媒管
５ａ  延伸部
６  吸込口
７  吹出口
８  送風ファン
９  送風ケーシング舌部
１０  保持部
１１  熱伝導性を有する部材
Ａ  室内機本体
Ｂ  室外機
【図１】
2004170033.tif 000003
【図２】
2004170033.tif 000004
【図３】
2004170033.tif 000005
【図４】
2004170033.tif 000006
【図５】
2004170033.tif 000007